(57)【特許請求の範囲】
【請求項１】
サッシの枠周りに組付けられる額縁において、額縁の裏面に額縁を枠に組付けるための額縁取付用補助部材を、躯体に設けられたアンカーのピッチと対応して額縁に複数設け、その額縁取付用補助部材の弾性保持部により枠に設けた額縁取付片をその厚さ方向両側から弾性的に挟持することで枠に額縁を組付け、額縁取付用補助部材により額縁をサッシに組付けた状態で、額縁取付用補助部材は躯体のアンカーに固着されることを特徴とする額縁の取付構造。
【請求項２】
額縁を枠に額縁取付用補助部材により弾性的に挟持した状態での弾性保持部の弾性力は、枠と額縁とが熱膨張したとき、弾性保持部と額縁取付片との挟持部分で相対的に滑ることができる大きさであることを特徴とする請求項１記載の額縁の取付構造。
【請求項３】
弾性保持部は額縁取付片の表面に当接する当接面と、当接面と対向するバネ部分とから成り、当接面とバネ部分とは一体に額縁取付用補助部材に設けられていることを特徴とする請求項１または２記載の額縁の取付構造。
【請求項４】
サッシの枠に額縁を組付けるための額縁取付用補助部材であって、額縁の裏面に取付けられる額縁取付部と、枠に設けられた額縁取付片をその厚さ方向両側から弾性的に挟持する弾性保持部とから構成され、弾性保持部は、額縁取付部と連続して折り曲げられた縦壁部分に形成された当接面と、縦壁部分と連続して折り曲げられた横壁部分に形成され、当接面と対向し、額縁取付片の裏面に当接するバネ部分とから構成され、全体が略Ｚ字形状に形成されていることを特徴とする額縁取付用補助部材。
【発明の詳細な説明】
【０００１】
【発明の属する技術分野】
この発明は、サッシへの額縁の取付構造及びサッシの枠に額縁を取付けるための額縁取付用補助部材に関する。
【０００２】
【従来の技術】
従来のサッシの枠周りへの額縁の組付けは、額縁の室外側端部を枠に設けた額縁取付片（Ｌ型ピース等）にビスにより螺着している。例えば▲１▼図７に示すものでは、ビス３１の頭部を収容可能なように額縁５の長平板部１６にビス３１を挿通するためのビス孔３２が加工されており、長平板部１６の室外側端１６ｂが枠４の室内側面１４に当接された状態で、額縁５と枠４とが組付けられている。また、▲２▼図８、図９に示すものでは、額縁５の長平板部１６の室外側端を折り曲げて外周側に向けて凹となる取付部３３を形成してある。その取付部３３には、枠４と額縁５とを組付けた状態で夫々が温度変化により長手方向に伸縮したときに、歪による湾曲を防止するため、枠４に対して額縁５が拘束されず相対移動できるようにビス３１が挿通されるビス孔３２を取付部３３に長孔として形成してある。その長孔３２にビス３１を通して枠４と額縁５とを螺着し、枠４に額縁５を組付けた際に枠４の室内側面１４と取付部３３により形成される溝３４を目地加工してある。
【０００３】
また、サッシの枠と額縁の他の組付構造として、▲３▼実開平１０−２１７号公報に開示のものでは、サッシの枠の室内側と額縁の室外側に夫々当接部を設け、額縁の当接部の室外側内周に係止突起を形成し、枠と額縁の各当接部の外周側を係止部が設けられた突状部に形成し、枠と額縁の当接部を当接して、額縁の当接部の係止突起を枠の当接部の室内側内周縁に係止し、額縁と枠の突状部にコ字状クリップを挿着して、額縁とサッシの枠とを組付けてある。そして、その枠と額縁とを組付けた状態で躯体の開口へ取付けられる。
【０００４】
【発明が解決しようとする課題】
前記の従来の▲１▼では、額縁にビスの頭部を収容可能なようにビス孔を加工すると共に、枠と額縁とを組付けた状態で額縁の表面にビスが見えるために美観を損なう問題があった。また、ビスにより額縁を枠に移動不能に固定されているので額縁が熱膨張により延びた際に、額縁のビスで固定された間で内周側に湾曲し額縁表面が波打った波打ち現象が発生する問題があった。▲２▼では、ビス孔が長孔に形成されているので、熱により伸縮したとしても枠に額縁が拘束されずに移動できるので夫々の部材の湾曲が生じ難いが、額縁に長孔を加工しなければならないと共に目地にシーリング材を充填して目地加工を行なわなければならない問題があり、枠と額縁との組付けが面倒であり、また、目地加工により外観を損なう問題もあった。また、▲３▼では、額縁と枠との組付けにビスを使用していないので美観が損なわれることがなく好適であるが、額縁及び枠に夫々当接部を設け、その夫々の当接部に突状部や係止突起を形成なければならない問題がある。このために図７、図８に示すような額縁取付片を有する従来の枠と額縁とをそのまま使用することはできず、新たな枠や額縁のための型を製作する必要があった。
本願発明の課題は、熱による枠及び額縁の伸縮による波打ち現象を防止し、また、額縁の美観を損なわない枠と額縁の取付構造及び額縁取付用補助部材を提供することである。更に、従来の枠及び額縁をそのまま使用することもできる枠と額縁の取付構造及び額縁取付用補助部材を提供することである。
【０００５】
前記課題を解決するために、本願発明ではサッシの枠周りに組付けられる額縁において、額縁の裏面に額縁を枠に組付けるための額縁取付用補助部材を、躯体に設けられたアンカーのピッチと対応して額縁に複数設け、その額縁取付用補助部材の弾性保持部により枠に設けた額縁取付片をその厚さ方向両側から弾性的に挟持することで枠に額縁を組付け、額縁取付用補助部材により額縁をサッシに組付けた状態で、額縁取付用補助部材は躯体のアンカーに固着されることを特徴とする（請求項１）。
【０００６】
額縁を枠に額縁取付用補助部材により弾性的に挟持した状態での弾性保持部の弾性力は、枠と額縁とが熱膨張したとき、弾性保持部と額縁取付片との挟持部分で相対的に滑ることができる大きさであることを特徴とする（請求項２）。
【０００７】
前記弾性保持部は額縁取付片の表面に当接する当接面と、当接面と対向するバネ部分とから成り、当接面とバネ部分とは一体に額縁取付用補助部材に設けられていることを特徴とする（請求項３）。
【００１０】
サッシの枠に額縁を組付けるための額縁取付用補助部材であって、額縁の裏面に取付けられる額縁取付部と、枠に設けられた額縁取付片をその厚さ方向両側から弾性的に挟持する弾性保持部とから構成され、弾性保持部は、額縁取付部と連続して折り曲げられた縦壁部分に形成された当接面と、縦壁部分と連続して折り曲げられた横壁部分に形成され、当接面と対向し、額縁取付片の裏面に当接するバネ部分とから構成され、全体が略Ｚ字形状に形成されていることを特徴とする（請求項４）。
【００１１】
【発明の実施の形態】
本願発明の実施の形態について図１から図６に基づいて説明する。１は躯体（壁）の開口１ａに取り付けられるサッシ（建具）２である。サッシ２は、障子３と枠４と額縁５とから成る周知のものであり、枠４を構成する左右竪枠６，７と上下枠８，９に夫々額縁５を構成する左右竪額縁１０，１１と上下額縁１２，１３を組付けてある。左右竪枠６，７と上枠８への左右竪額縁１０，１１と上額縁１２の組付けは略同様であるので右竪枠７と右竪額縁１１について図２から図４により説明する。
【００１２】
右竪枠７は周知のようにアルミニウム材を押出し成形して成り、室内側面１４には竪枠７に沿って伸びるＬ字形状の額縁取付片（Ｌピース）１５がビス留めされている。竪額縁１１はアルミニウム製の型材で形成されており、内周側の長平板部１６と外周側の短平板部１７と長、短平板部１６，１７を連結する連結部１８とからなっている。
【００１３】
竪額縁１１には額縁取付用補助部材１９が設けられている。図４に示すように額縁取付用補助部材１９は、竪額縁１１の長平板部１６の裏面１６ａに取付けられる額縁取付部２０と、額縁取付部２０と連続し垂直に折り曲げられた縦壁部分２１と、縦壁部分２１と連続して垂直（額縁取付部２０と平行）に折り曲げられた横壁部分２２とから成り、全体が略Ｚ字形状に形成されている。縦壁部分２１の室外側部分は、切り欠かれその切り欠き部分の外周面(開口１ａに向く面)が当接面２３となっている。また、横壁部分２２の室外側部分は、当接面２３に対向する位置で当接面２３に向けて略へ字形状に折り曲げられたバネ部分２４に形成されている。当接面２３とバネ部分２４とは、額縁取付片１５をその厚さ方向両側（長手方向の直交方向両側）から弾性的に挟持する弾性保持部２５を構成している。
【００１４】
額縁取付用補助部材１９は、躯体１に設けられた複数のアンカー２６の取付ピッチに対応して竪額縁１１の長平板部１６と短平板部１７間に複数設けられており、額縁取付部２０の表面２０ａが長平板部１６の裏面１６ａに接着されると共に横壁部分２２の室内側部分と短平板部１７とがビス留めされている。この竪額縁１１は、躯体１の開口１ａに組み付けられた竪枠７に、竪枠７の額縁取付片１５を各額縁取付用補助部材１９の弾性保持部２５が挟持し、竪額縁１１の長平板部１６の室外側端１６ｂが竪枠７の室内側面１４に当接して組付けられ、組付けられた状態で躯体１と一体のアンカー２６に額縁取付用補助部材１９が溶着される。このように竪額縁１１の長平板部１６の室外側端１６ｂを竪枠７の室内側面１４に当接し、額縁取付片１５を額縁取付用補助部材１９により挟持して組付ければ、従来のように額縁に設けられるビス孔を長孔に加工する必要がなくなり、その長孔にビスを挿通し枠と額縁とをビス留めした部分を目地加工する必要もなく、美観を向上できる。また、長孔加工や目地加工をしないので組付けが簡単になる。
【００１５】
また、下枠９と下額縁１３とは図５、図６に示すように、下額縁１３と下額縁１３の額縁取付用補助部材１９Ａとは前記竪額縁７と竪額縁７の額縁取付用補助部材１９と形状が幾分異なるのみであり、下額縁１３への下額縁１３の額縁取付用補助部材１９Ａの取付は前記と略同様に下額縁１３の長平板部１６Ａの裏面１６Ａａに額縁取付用補助部材１９Ａの額縁取付部２０Ａを接着し、横壁部分２７を短平板部１７Ａにビス留めして行なわれ、この下額縁１３の室外側端１６Ａｂと下枠９の室内側面１４間に隙間２８が構成され、その隙間２８にシーリング材２９が充填されて目地加工されているが、前記と略同様に弾性保持部２５Ａにより額縁取付片１５を挟持し、アンカーに溶着されて下枠９と下額縁１３とが組付けられている。
【００１６】
前記枠４と額縁５との組付け状態での弾性保持部２５，２５Ａの弾性力は、枠４と額縁５とが温度変化により歪んで長手方向に相対的に伸縮したとき、弾性保持部２５，２５Ａと額縁取付片１５との挟持部分で両部材４，５が相対的に滑ることができる大きさとなっている。尚、３０は額縁５の外周を覆う化粧板である。額縁取付片を額縁取付用補助部材で挟持して枠と額縁とを組付けるのでビスで枠と額縁とを組付ける場合と異なり、ビスが額縁の内周面側に見えないのでサッシの外観を美しくする。また、枠と額縁とが温度変化により伸縮したときに枠と額縁とが相対的に滑ることができるので、一方の部材が他方の部材に拘束されることによる湾曲が生じることがなく、波打ち現象が防止される。更に、従来と同様に形成された額縁の裏面に、額縁取付用補助部材を取り付けて、従来と同様に枠に設けられた額縁取付片を挟持するので、新に枠や額縁に突状部や溝を形成することが不要であり、従来の枠や額縁を使用できるので好適である。
【００１７】
【発明の効果】
以上のように本願発明では、額縁取付片を額縁取付用補助部材により枠と額縁とが温度変化により歪が生じた際に相対的に滑ることができるように弾性的に挟持することで枠と額縁とを組付けたので、湾曲を防止できる。また、枠と額縁とをビス留めしないので、外観が美しくなり、更に、長孔を設けて目地加工する必要がないので組付けが容易となる。また、従来の枠と額縁とを使用できるので、新しく枠や額縁を作り直す必要がなく新たな型が不要であり、好適である。
【図面の簡単な説明】
【図１】サッシを示す内観図である。
【図２】図１のII−II線断面図である。
【図３】図２のIII−III線断面図である。
【図４】額縁取付用補助部材を示す斜視図である。
【図５】図１のV−V線断面図である。
【図６】下額縁の額縁取付用補助部材を示す斜視図である。
【図７】従来の額縁の組付けを示す図である。
【図８】従来の額縁の組付けを示す図である。
【図９】図８のIX視図である。
【符号の説明】
１  躯体
２  サッシ
４  枠
５  額縁
１５  額縁取付片
１９  額縁取付用補助部材
２１  縦壁部分
２２  横壁部分
２３  当接面
２４  バネ部分
２５  弾性保持部
２６  アンカー
【図１】
0004288635.tif 000002
【図２】
0004288635.tif 000003
【図３】
0004288635.tif 000004
【図４】
0004288635.tif 000005
【図５】
0004288635.tif 000006
【図６】
0004288635.tif 000007
【図７】
0004288635.tif 000008
【図８】
0004288635.tif 000009
【図９】
0004288635.tif 000010